(57)【要約】【課題】操作子が操作されたことを正しく判定することができる制御装置を提供する。【解決手段】操作子Ｉの画像を表示する表示部１２の画面に貼着され、オペレータより押圧された位置を操作座標として検出するタッチパネル１４を有する表示装置１０を制御する制御装置１６であって、タッチパネル１４上の座標領域Ｒｔを設定するとともに、タッチパネル１４が押圧されたときに検出された操作座標が座標領域Ｒｔの外であって、その後、タッチパネル１４が押圧された場合に、検出された操作座標が座標領域Ｒｔの中であるときには、座標領域Ｒｔを、座標領域Ｒｔの外の操作座標を含む領域に拡大する座標領域設定部３２を備える。【選択図】図４
2018181322.tif 000002
【特許請求の範囲】
【請求項１】
操作子の画像を表示する表示部と、
前記表示部の画面に貼着され、オペレータより押圧された位置を操作座標として検出するタッチパネルと、
を有する表示装置を制御する制御装置であって、
前記操作子に対応する前記タッチパネル上の座標領域を設定するとともに、前記タッチパネルが押圧されたときに検出された前記操作座標が前記座標領域の外であって、その後、前記タッチパネルが押圧された場合に、検出された前記操作座標が前記座標領域の中であるときには、前記座標領域を、前記座標領域の外の前記操作座標を含む領域に拡大する座標領域設定部と、
検出された前記操作座標が前記座標領域の中である場合に、前記操作子が操作されたと判定する操作判定部と、を備える、制御装置。
【請求項２】
請求項１に記載の制御装置であって、
前記座標領域設定部は、前記タッチパネルが押圧されたときに検出された前記操作座標が前記座標領域の外であり、かつ、前記操作座標と前記座標領域との距離が所定距離以下であって、その後、前記タッチパネルが押圧された場合に、検出された前記操作座標が前記座標領域の中であるときには、前記座標領域を、前記座標領域の外の前記操作座標を含む領域に拡大する、制御装置。
【請求項３】
請求項１または２に記載の制御装置であって、
前記座標領域設定部は、前記タッチパネルが押圧されたときに検出された前記操作座標が前記座標領域の外であって、その後、所定時間以内に前記タッチパネルが押圧された場合に、検出された前記操作座標が前記座標領域の中であるときには、前記座標領域を、前記座標領域の外の前記操作座標を含む領域に拡大する、制御装置。
【請求項４】
請求項１〜３のいずれか１項に記載の制御装置であって、
前記座標領域設定部は、前記座標領域に隣接する複数の隣接座標領域をあらかじめ設定し、前記タッチパネルが押圧されたときに検出された前記操作座標が前記隣接座標領域の中であって、その後、前記タッチパネルが押圧された場合に、検出された前記操作座標が前記座標領域の中であるときには、前記座標領域を、前記複数の隣接座標領域のうち、前記操作座標が前記隣接座標領域の中である回数が所定回数以上である前記隣接座標領域に拡大する、制御装置。
【請求項５】
操作子の画像を表示する表示部と、
前記表示部の画面に貼着され、オペレータより押圧された位置を操作座標として検出するタッチパネルと、
を有する表示装置の制御方法であって、
前記操作子に対応する前記タッチパネル上の座標領域を設定するとともに、前記タッチパネルが押圧されたときに検出された前記操作座標が前記座標領域の外であって、その後、前記タッチパネルが押圧された場合に、検出された前記操作座標が前記座標領域の中であるときには、前記座標領域を、前記座標領域の外の前記操作座標を含む領域に拡大し、
検出された前記操作座標が前記座標領域の中である場合に、前記操作子が操作されたと判定する、制御方法。
【請求項６】
請求項５に記載の制御方法であって、
前記タッチパネルが押圧されたときに検出された前記操作座標が前記座標領域の外であり、かつ、前記操作座標と前記座標領域との距離が所定距離以下であって、その後、前記タッチパネルが押圧された場合に、検出された前記操作座標が前記座標領域の中であるときには、前記座標領域を、前記座標領域の外の前記操作座標を含む領域に拡大する、制御方法。
【請求項７】
請求項５または６に記載の制御方法であって、
前記タッチパネルが押圧されたときに検出された前記操作座標が前記座標領域の外であって、その後、所定時間以内に前記タッチパネルが押圧された場合に、検出された前記操作座標が前記座標領域の中であるときには、前記座標領域を、前記座標領域の外の前記操作座標を含む領域に拡大する、制御方法。
【請求項８】
請求項５〜７のいずれか１項に記載の制御方法であって、
前記座標領域に隣接する複数の隣接座標領域をあらかじめ設定し、前記タッチパネルが押圧されたときに検出された前記操作座標が前記隣接座標領域の中であって、その後、前記タッチパネルが押圧された場合に、検出された前記操作座標が前記座標領域の中であるときには、前記座標領域を、前記複数の隣接座標領域のうち、前記操作座標が前記隣接座標領域の中である回数が所定回数以上である前記隣接座標領域に拡大する、制御方法。
【発明の詳細な説明】
【技術分野】
【０００１】
本発明は、表示部の画面に貼着されたタッチパネルを有する制御装置および制御方法に関する。
【背景技術】
【０００２】
下記特許文献１には、使用者の視線角の違いによって生じる表示装置のディスプレイの座標とタッチパネルの押圧座標とのずれを自動で修正するものが開示されている。
【先行技術文献】
【特許文献】
【０００３】
【特許文献１】特開２０１０−１７６２３４号公報
【発明の概要】
【発明が解決しようとする課題】
【０００４】
表示装置を制御する制御装置は、オペレータにより、ディスプレイ（表示部）に表示されたアイコン（操作子）の位置においてタッチパネルが押圧されることにより、そのアイコンが操作されたと判定する。タッチパネルが出力する押圧座標に局所的なずれが生じている場合には、上記特許文献１の技術では、そのずれを修正することができず、オペレータにより、アイコンの位置においてタッチパネルが押圧されても、制御装置は、そのアイコンが操作されたと判定することができないおそれがあった。
【０００５】
本発明は、上記の問題を解決するためになされたものであり、操作子が操作されたことを正しく判定することができる制御装置および制御方法を提供することを目的とする。
【課題を解決するための手段】
【０００６】
本発明の態様は、操作子の画像を表示する表示部と、前記表示部の画面に貼着され、オペレータより押圧された位置を操作座標として検出するタッチパネルと、を有する表示装置を制御する制御装置であって、前記操作子に対応する前記タッチパネル上の座標領域を設定するとともに、前記タッチパネルが押圧されたときに検出された前記操作座標が前記座標領域の外であって、その後、前記タッチパネルが押圧された場合に、検出された前記操作座標が前記座標領域の中であるときには、前記座標領域を、前記座標領域の外の前記操作座標を含む領域に拡大する座標領域設定部と、検出された前記操作座標が前記座標領域の中である場合に、前記操作子が操作されたと判定する操作判定部と、を備える。
【発明の効果】
【０００７】
本発明によれば、操作子が操作されたことを正しく判定することができる。
【図面の簡単な説明】
【０００８】
【図１】タッチパネルディスプレイの模式図である。
【図２】タッチパネルディスプレイを搭載したＣＮＣの構成を示すブロック図である。
【図３】座標領域設定部において行われるタッチパネル座標領域の拡大処理の流れを示すフローチャートである。
【図４】図４Ａは、タッチパネル座標領域の拡大前の状態を示すタッチパネルディスプレイの模式図である。図４Ｂは、タッチパネル座標領域の拡大後の状態を示すタッチパネルディスプレイの模式図である。
【図５】タッチパネルディスプレイの模式図である。
【図６】座標領域設定部において行われるタッチパネル座標領域の拡大処理の流れを示すフローチャートである。
【図７】図７Ａは、タッチパネル座標領域の拡大前の状態を示すタッチパネルディスプレイの模式図である。図７Ｂは、タッチパネル座標領域の拡大後の状態を示すタッチパネルディスプレイの模式図である。
【発明を実施するための形態】
【０００９】
以下、発明の実施の形態を通じて本発明を説明する。下記の実施の形態は特許請求の範囲に係る発明を限定するものではない。実施の形態の中で説明されている特徴の組み合わせの全てが発明の解決手段に必須であるとは限らない。
【００１０】
〔第１の実施の形態〕
［タッチパネルディスプレイ］
図１はタッチパネルディスプレイ１０の模式図である。タッチパネルディスプレイ１０は、表示部１２およびタッチパネル１４を有している。本実施の形態のタッチパネルディスプレイ１０は、例えば、工作機械等を制御するＣＮＣ１６（図２）に搭載される。
【００１１】
表示部１２は、例えば液晶ディスプレイ等であって、その画面に文字、記号、数字や画像等を表示することができる。タッチパネル１４は、表示部１２の画面に貼着された透明なシート状の部材であって、例えば抵抗膜方式のタッチパネルである。タッチパネル１４は、オペレータの指やペン等によりタッチパネル１４が押圧された位置を、ＸＹ座標平面上の座標として検出し、出力する。以下、オペレータの指やペン等によりタッチパネル１４が押圧された位置の座標を操作座標と称する。
【００１２】
図２は、タッチパネルディスプレイ１０（表示部１２、タッチパネル１４）を搭載したＣＮＣ１６の構成を示すブロック図である。ＣＮＣ１６は、処理演算部２０および記憶部２２を有している。処理演算部２０は、プロセッサ、メモリ等から構成されており、各種の処理および演算等を行う。記憶部２２は、半導体メモリ等であって、各種のデータを記憶する。
【００１３】
処理演算部２０は、表示制御部３０、座標領域設定部３２、操作判定部３４および操作処理部３６を有している。表示制御部３０は、表示部１２にアイコンＩを表示させるように、表示部１２に制御信号を出力する。座標領域設定部３２は、表示部１２に表示されたアイコンＩと対応するタッチパネル１４上の座標領域（以下、タッチパネル座標領域Ｒｔと称する。）を設定する。
【００１４】
操作判定部３４は、オペレータによりタッチパネル１４が押圧され、その操作座標がタッチパネル座標領域Ｒｔ内であったときに、アイコンＩが操作されたと判定する。操作処理部３６は、アイコンＩが操作されたときに、アイコンＩに対してあらかじめ設定されている処理を行う。あらかじめ設定されている処理とは、例えば工作機械の切削条件を入力後に、入力された切削条件を記憶部２２に記憶させる処理や、表示部１２の画面を他の画面に切り換える処理等である。記憶部２２は、座標領域記憶部４０を有している。座標領域記憶部４０は、座標領域設定部３２において設定されたタッチパネル座標領域Ｒｔを記憶する。
【００１５】
［タッチパネル座標領域拡大処理］
座標領域設定部３２は、タッチパネル座標領域Ｒｔを設定した後に、所定の条件を満たす場合には、タッチパネル座標領域Ｒｔを拡大する。図３は座標領域設定部３２において行われるタッチパネル座標領域Ｒｔの拡大処理の流れを示すフローチャートである。
【００１６】
ステップＳ１では、座標領域設定部３２は、タッチパネル１４がオペレータにより操作（押圧）されたか否かを判定する。タッチパネル１４が操作されたときにはステップＳ２へ移行し、タッチパネル１４が操作されていないときにはステップＳ１の処理を繰り返す。
【００１７】
ステップＳ２では、座標領域設定部３２は、操作座標がタッチパネル座標領域Ｒｔの外であるか否かを判定する。操作座標がタッチパネル座標領域Ｒｔの外であるときにはステップＳ３へ移行し、操作座標がタッチパネル座標領域Ｒｔの中であるときには処理を終了する。
【００１８】
ステップＳ３では、座標領域設定部３２は、操作座標とタッチパネル座標領域Ｒｔとの距離が所定距離（例えば、１［ｃｍ］）以下であるか否かを判定する。操作座標とタッチパネル座標領域Ｒｔとの距離が所定距離以下であるときにはステップＳ４へ移行し、操作座標とタッチパネル座標領域Ｒｔとの距離が所定距離より大きいときには処理を終了する。
【００１９】
ステップＳ４では、座標領域設定部３２は、タッチパネル１４がオペレータにより操作されたか否かを判定する。タッチパネル１４が操作されたときにはステップＳ５へ移行し、タッチパネル１４が操作されていないときにはステップＳ４の処理を繰り返す。
【００２０】
ステップＳ５では、座標領域設定部３２は、前回、タッチパネル１４がオペレータにより操作されてから、今回、タッチパネル１４がオペレータにより操作されるまでの時間が所定時間（例えば、１［ｓｅｃ］）以内であるか否かを判定する。所定時間以内であるときにはステップＳ６へ移行し、所定時間後であるときには処理を終了する。
【００２１】
ステップＳ６では、座標領域設定部３２は、操作座標がタッチパネル座標領域Ｒｔの中であるか否かを判定する。操作座標がタッチパネル座標領域Ｒｔの中であるときにはステップＳ７へ移行し、操作座標がタッチパネル座標領域Ｒｔの外であるときには処理を終了する。
【００２２】
ステップＳ７では、タッチパネル座標領域Ｒｔを、タッチパネル座標領域Ｒｔの外である操作座標を含む領域に拡大して、処理を終了する。
【００２３】
［作用効果］
タッチパネルディスプレイ１０は、出荷前やＣＮＣ１６を工場に設置後に最初に使用するときに、タッチパネル１４が検出する操作座標と、表示部１２上の表示位置とが一致するようにキャリブレーションが行われる。これにより、オペレータが、表示部１２に表示されたアイコンＩの位置においてタッチパネル１４を押圧すると、タッチパネル１４が検出した操作座標が、タッチパネル座標領域Ｒｔの中となり、操作判定部３４によりアイコンＩが操作されたと判定される。
【００２４】
しかし、タッチパネル１４の経年劣化等により、タッチパネル１４が検出する操作座標が、表示部１２の表示位置に対してずれが生じることがある。これにより、オペレータは、表示部１２に表示されたアイコンＩの位置においてタッチパネル１４を押圧しているにも関わらず、タッチパネル１４が検出する操作座標がタッチパネル座標領域Ｒｔの外となり、操作判定部３４によりアイコンＩが操作されたと判定できないことがある。
【００２５】
表示部１２の表示位置に対して、タッチパネル１４が検出する操作座標が全体的に一方向にずれが生じている場合には、前述のキャリブレーションによって、そのずれを解消することができる。しかし、タッチパネル１４の経年劣化等を原因とするずれは、局所的に発生することがあり、ある箇所のずれをキャリブレーションにより解消すると、別の箇所にずれが生じる問題があった。
【００２６】
そこで、本実施の形態では、タッチパネル座標領域Ｒｔを拡大することで、表示部１２の表示位置に対して、タッチパネル１４が検出する操作座標の局所的なずれが発生した場合であっても、操作判定部３４によりアイコンＩの操作判定を正しく行えるようにする。
【００２７】
タッチパネル座標領域Ｒｔの拡大について、具体例を用いて説明する。図４Ａは、タッチパネル座標領域Ｒｔの拡大前の状態を示すタッチパネルディスプレイ１０の模式図である。図４Ｂは、タッチパネル座標領域Ｒｔの拡大後の状態を示すタッチパネルディスプレイ１０の模式図である。
【００２８】
オペレータが、表示部１２に表示されたアイコンＩの位置においてタッチパネル１４を押圧したが、タッチパネル１４が検出した操作座標はタッチパネル座標領域Ｒｔの外である座標Ｐ１であった（図４Ａ）。次に、オペレータが、タッチパネル１４を押圧する位置を少しずらしたため、タッチパネル１４が検出した操作座標はタッチパネル座標領域Ｒｔの中である座標Ｐ２となった（図４Ａ）。
【００２９】
この場合、座標領域設定部３２は、操作座標が座標Ｐ１となる位置でタッチパネル１４の操作が行われてから、操作座標が座標Ｐ２となる位置でタッチパネル１４の操作が行われるまでの時間が所定時間以内であって、座標Ｐ１とタッチパネル座標領域Ｒｔとの距離が所定距離ｄ以下であるときには、タッチパネル座標領域Ｒｔを、座標Ｐ１を含む領域に拡大する（図４Ｂ）。
【００３０】
オペレータは、表示部１２に表示されたアイコンＩの位置においてタッチパネル１４を押圧しても、ＣＮＣ１６によってアイコンＩに対応付けられた操作が実行されないときには、場所を少しずつずらしながら短期間に何回もタッチパネル１４を押圧する動作を行うことが多い。操作座標がタッチパネル座標領域Ｒｔの外となる位置でタッチパネル１４の操作が行われた後に、操作座標がタッチパネル座標領域Ｒｔの中となる位置でタッチパネル１４の操作が行われたときには、タッチパネル座標領域Ｒｔを、タッチパネル座標領域Ｒｔの外である操作座標を含む領域に拡大するため、タッチパネル１４が検出する操作座標にずれが生じた場合であっても、操作判定部３４によりアイコンＩの操作判定を正しく行うことができる。
【００３１】
また、操作座標とタッチパネル座標領域Ｒｔとの距離が所定距離以下の場合に、タッチパネル座標領域Ｒｔを拡大する。操作座標が、タッチパネル座標領域Ｒｔから遠い場合には、オペレータの操作ミス、またはオペレータがアイコンＩ以外を操作しようとしていると推定される。これにより、操作判定部３４により他の操作をアイコンＩの操作と誤判定することを抑制することができる。
【００３２】
さらに、操作座標がタッチパネル座標領域Ｒｔの外となる位置でタッチパネル１４が押圧されてから、操作座標がタッチパネル座標領域Ｒｔの中となる位置でタッチパネル１４が押圧されるまでの時間が所定時間以内である場合に、タッチパネル座標領域Ｒｔを拡大する。タッチパネル１４が押圧されてから、次に押圧されるまでの時間が長い場合には、オペレータは前回のタッチパネル１４の押圧によりアイコンＩ以外を操作しようとしていることが推定される。これにより、操作判定部３４により他の操作をアイコンＩの操作と誤判定することを抑制することができる。
【００３３】
〔第２の実施の形態〕
図５はタッチパネルディスプレイ１０の模式図である。第２の実施の形態では、タッチパネル座標領域Ｒｔに隣接する複数の隣接座標領域Ｒｎ１〜Ｒｎ４を設定し、隣接座標領域Ｒｎ１〜Ｒｎ４のうち、操作座標が隣接座標領域Ｒｎ１〜Ｒｎ４の中である回数が所定回数以上である隣接座標領域Ｒｎ１〜Ｒｎ４に、タッチパネル座標領域Ｒｔを拡大するようにする。
【００３４】
［タッチパネル座標領域拡大処理］
図６は座標領域設定部３２において行われるタッチパネル座標領域Ｒｔの拡大処理の流れを示すフローチャートである。
【００３５】
ステップＳ１１では、座標領域設定部３２は、タッチパネル１４がオペレータにより操作（押圧）されたか否かを判定する。タッチパネル１４が操作されたときにはステップＳ１２へ移行し、タッチパネル１４が操作されていないときにはステップＳ１１の処理を繰り返す。
【００３６】
ステップＳ１２では、座標領域設定部３２は、操作座標が隣接座標領域Ｒｎ１〜Ｒｎ４の中であるか否かを判定する。操作座標が隣接座標領域Ｒｎ１〜Ｒｎ４の中であるときにはステップＳ１３へ移行し、操作座標が隣接座標領域Ｒｎ１〜Ｒｎ４の外であるときにはステップＳ２０へ移行する。
【００３７】
ステップＳ１３では、座標領域設定部３２は、操作座標が隣接座標領域Ｒｎ１〜Ｒｎ４の中であった回数をカウントするカウンタＣ（Ｃ１〜Ｃ４）をインクリメントして、ステップＳ１４へ移行する。例えば、ステップＳ１２の判定において、操作座標が隣接座標領域Ｒｎ１の中であった場合には、カウンタＣ１をインクリメントし、操作座標が隣接座標領域Ｒｎ２の中であった場合には、カウンタＣ２をインクリメントする。
【００３８】
ステップＳ１４では、座標領域設定部３２は、タッチパネル１４がオペレータにより操作されたか否かを判定する。タッチパネル１４が操作されたときにはステップＳ１５へ移行し、タッチパネル１４が操作されていないときにはステップＳ１４の処理を繰り返す。
【００３９】
ステップＳ１５では、座標領域設定部３２は、前回、タッチパネル１４がオペレータにより操作されてから、今回、タッチパネル１４がオペレータにより操作されるまでの時間が所定時間（例えば、１［ｓｅｃ］）以内であるか否かを判定する。所定時間以内であるときにはステップＳ１６へ移行し、所定時間後であるときにはステップＳ２０へ移行する。
【００４０】
ステップＳ１６では、座標領域設定部３２は、操作座標が隣接座標領域Ｒｎ１〜Ｒｎ４の中であるか否かを判定する。操作座標が隣接座標領域Ｒｎ１〜Ｒｎ４の中であるときにはステップＳ１７へ移行し、操作座標が隣接座標領域Ｒｎ１〜Ｒｎ４の外であるときにはステップＳ１８へ移行する。
【００４１】
ステップＳ１７では、座標領域設定部３２は、操作座標が隣接座標領域Ｒｎ１〜Ｒｎ４の中であった回数をカウントするカウンタＣ（Ｃ１〜Ｃ４）をインクリメントして、ステップＳ１４へ戻る。
【００４２】
ステップＳ１８では、座標領域設定部３２は、操作座標がタッチパネル座標領域Ｒｔの中であるか否かを判定する。操作座標がタッチパネル座標領域Ｒｔの中であるときにはステップＳ１９へ移行し、操作座標がタッチパネル座標領域Ｒｔの外であるときにはステップＳ２０へ移行する。
【００４３】
ステップＳ１９では、座標領域設定部３２は、カウンタＣから操作座標が隣接座標領域Ｒｎ１〜Ｒｎ４の中である回数を求め、タッチパネル座標領域Ｒｔを、操作座標が隣接座標領域Ｒｎ１〜Ｒｎ４の中である回数が所定回数（例えば、３回）以上である隣接座標領域Ｒｎ１〜Ｒｎ４に拡大して、ステップＳ２０へ移行する。なお、操作座標が隣接座標領域Ｒｎ１〜Ｒｎ４の中である回数が、いずれの隣接座標領域Ｒｎ１〜Ｒｎ４においても所定回数未満である場合には、座標領域設定部３２は、タッチパネル座標領域Ｒｔを拡大することなく、ステップＳ２０へ移行する。
【００４４】
ステップＳ２０では、座標領域設定部３２は、カウンタＣ（Ｃ１〜Ｃ４）をリセットして、処理を終了する。
【００４５】
［作用効果］
タッチパネル座標領域Ｒｔの拡大について、具体例を用いて説明する。図７Ａは、タッチパネル座標領域Ｒｔの拡大前の状態を示すタッチパネルディスプレイ１０の模式図である。図７Ｂは、タッチパネル座標領域Ｒｔの拡大後の状態を示すタッチパネルディスプレイ１０の模式図である。
【００４６】
オペレータが、表示部１２に表示されたアイコンＩの位置においてタッチパネル１４を９回押圧したが、その間にタッチパネル１４が検出した操作座標はいずれも隣接座標領域Ｒｎ１〜Ｒｎ４の中であった。操作座標が隣接座標領域Ｒｎ１の中であった回数は１回（Ｃ１＝１）、操作座標が隣接座標領域Ｒｎ２の中であった回数は１回（Ｃ２＝１）、操作座標が隣接座標領域Ｒｎ３の中であった回数は４回（Ｃ３＝４）、操作座標が隣接座標領域Ｒｎ４の中であった回数は３回（Ｃ４＝３）であった（図７Ａ）。オペレータによる１０回目のタッチパネル１４の押圧において、タッチパネル１４が検出した操作座標はタッチパネル座標領域Ｒｔの中である座標Ｐ３であった（図７Ａ）。
【００４７】
この場合、座標領域設定部３２は、オペレータによるタッチパネル１４の１０回目の操作が、９回目の操作から所定時間以内であるときには、タッチパネル座標領域Ｒｔを隣接座標領域Ｒｎ３、Ｒｎ４に拡大する（図７Ｂ）。
【００４８】
オペレータは、表示部１２に表示されたアイコンＩの位置においてタッチパネル１４を押圧しても、ＣＮＣ１６によってアイコンＩに対応付けられた所定の操作が実行されない場合には、何回か同じ箇所を押圧する動作を繰り返すことが多い。操作座標が隣接座標領域Ｒｎ１〜Ｒｎ４の中になる回数が多い隣接座標領域Ｒｎ１〜Ｒｎ４にタッチパネル座標領域Ｒｔを拡大することにより、不要にタッチパネル座標領域Ｒｔを拡大することなく、操作判定部３４による誤判定を抑制することができる。
【００４９】
〔他の実施の形態〕
以上、本発明を実施の形態を用いて説明したが、本発明の技術的範囲は上記実施の形態に記載の範囲には限定されない。上記実施の形態に、多様な変更または改良を加えることが可能であることはもちろんである。その様な変更または改良を加えた形態も本発明の技術的範囲に含まれ得ることが、特許請求の範囲の記載から明らかである。
【００５０】
第１の実施の形態では、操作座標とタッチパネル座標領域Ｒｔとの距離が所定距離以下の場合に、タッチパネル座標領域Ｒｔを拡大する。これを、操作座標とタッチパネル座標領域Ｒｔとの距離が所定距離より長い場合であっても、タッチパネル座標領域Ｒｔを拡大するようにしてもよい。
【００５１】
また、第１の実施の形態および第２の実施の形態では、前回のタッチパネル１４の操作から、今回のタッチパネル１４の操作までの時間が、所定時間以内の場合にタッチパネル座標領域Ｒｔを拡大する。これを、前回のタッチパネル１４の操作から、今回のタッチパネル１４の操作までの時間が、所定時間より長い場合にタッチパネル座標領域Ｒｔを拡大するようにしてもよい。
【００５２】
〔実施の形態から得られる技術的思想〕
上記実施の形態から把握しうる技術的思想について、以下に記載する。
【００５３】
操作子（Ｉ）の画像を表示する表示部（１２）と、前記表示部（１２）の画面に貼着され、オペレータより押圧された位置を操作座標として検出するタッチパネル（１４）と、を有する表示装置（１０）を制御する制御装置（１６）であって、前記操作子（Ｉ）に対応する前記タッチパネル（１４）上の座標領域（Ｒｔ）を設定するとともに、前記タッチパネル（１４）が押圧されたときに検出された前記操作座標が前記座標領域（Ｒｔ）の外であって、その後、前記タッチパネル（１４）が押圧された場合に、検出された前記操作座標が前記座標領域（Ｒｔ）の中であるときには、前記座標領域（Ｒｔ）を、前記座標領域（Ｒｔ）の外の前記操作座標を含む領域に拡大する座標領域設定部（３２）と、検出された前記操作座標が前記座標領域（Ｒｔ）の中である場合に、前記操作子（Ｉ）が操作されたと判定する操作判定部（３４）と、を備える。これにより、タッチパネル（１４）が検出する操作座標の局所的なずれが発生した場合であっても、操作判定部（３４）により操作子（Ｉ）の操作判定を正しく行うことができる。
【００５４】
上記制御装置（１６）であって、前記座標領域設定部（３２）は、前記タッチパネル（１４）が押圧されたときに検出された前記操作座標が前記座標領域（Ｒｔ）の外であり、かつ、前記操作座標と前記座標領域（Ｒｔ）との距離が所定距離以下であって、その後、前記タッチパネル（１４）が押圧された場合に、検出された前記操作座標が前記座標領域（Ｒｔ）の中であるときには、前記座標領域（Ｒｔ）を、前記座標領域（Ｒｔ）の外の前記操作座標を含む領域に拡大してもよい。これにより、操作判定部（３４）によりオペレータによる他の操作を、操作子（Ｉ）の操作と誤判定することを抑制することができる。
【００５５】
上記制御装置（１６）であって、前記座標領域設定部（３２）は、前記タッチパネル（１４）が押圧されたときに検出された前記操作座標が前記座標領域（Ｒｔ）の外であって、その後、所定時間以内に前記タッチパネル（１４）が押圧された場合に、検出された前記操作座標が前記座標領域（Ｒｔ）の中であるときには、前記座標領域（Ｒｔ）を、前記座標領域（Ｒｔ）の外の前記操作座標を含む領域に拡大してもよい。これにより、操作判定部（３４）によりオペレータによる他の操作を、操作子（Ｉ）の操作と誤判定することを抑制することができる。
【００５６】
上記制御装置（１６）であって、前記座標領域設定部（３２）は、前記座標領域（Ｒｔ）に隣接する複数の隣接座標領域（Ｒｎ１〜Ｒｎ４）をあらかじめ設定し、前記タッチパネル（１４）が押圧されたときに検出された前記操作座標が前記隣接座標領域（Ｒｎ１〜Ｒｎ４）の中であって、その後、前記タッチパネル（１４）が押圧された場合に、検出された前記操作座標が前記座標領域（Ｒｔ）の中であるときには、前記座標領域（Ｒｔ）を、前記複数の隣接座標領域（Ｒｎ１〜Ｒｎ４）のうち、前記操作座標が前記隣接座標領域（Ｒｎ１〜Ｒｎ４）の中である回数が所定回数以上である前記隣接座標領域（Ｒｎ１〜Ｒｎ４）に拡大してもよい。これにより、不要にタッチパネル座標領域（Ｒｔ）を拡大することなく、操作判定部（３４）による誤判定を抑制することができる。
【００５７】
操作子（Ｉ）の画像を表示する表示部（１２）と、前記表示部（１２）の画面に貼着され、オペレータより押圧された位置を操作座標として検出するタッチパネル（１４）と、を有する表示装置（１０）の制御方法であって、前記操作子（Ｉ）に対応する前記タッチパネル（１４）上の座標領域（Ｒｔ）を設定するとともに、前記タッチパネル（１４）が押圧されたときに検出された前記操作座標が前記座標領域（Ｒｔ）の外であって、その後、前記タッチパネル（１４）が押圧された場合に、検出された前記操作座標が前記座標領域（Ｒｔ）の中であるときには、前記座標領域（Ｒｔ）を、前記座標領域（Ｒｔ）の外の前記操作座標を含む領域に拡大し、検出された前記操作座標が前記座標領域（Ｒｔ）の中である場合に、前記操作子（Ｉ）が操作されたと判定する。これにより、タッチパネル（１４）が検出する操作座標の局所的なずれが発生した場合であっても、操作子（Ｉ）の操作判定を正しく行うことができる。
【００５８】
上記制御方法であって、前記タッチパネル（１４）が押圧されたときに検出された前記操作座標が前記座標領域（Ｒｔ）の外であり、かつ、前記操作座標と前記座標領域（Ｒｔ）との距離が所定距離以下であって、その後、前記タッチパネル（１４）が押圧された場合に、検出された前記操作座標が前記座標領域（Ｒｔ）の中であるときには、前記座標領域（Ｒｔ）を、前記座標領域（Ｒｔ）の外の前記操作座標を含む領域に拡大してもよい。これにより、操作判定部（３４）によりオペレータによる他の操作を、操作子（Ｉ）の操作と誤判定することを抑制することができる。
【００５９】
上記制御方法であって、前記タッチパネル（１４）が押圧されたときに検出された前記操作座標が前記座標領域（Ｒｔ）の外であって、その後、所定時間以内に前記タッチパネル（１４）が押圧された場合に、検出された前記操作座標が前記座標領域（Ｒｔ）の中であるときには、前記座標領域（Ｒｔ）を、前記座標領域（Ｒｔ）の外の前記操作座標を含む領域に拡大してもよい。これにより、操作判定部（３４）によりオペレータによる他の操作を、操作子（Ｉ）の操作と誤判定することを抑制することができる。
【００６０】
上記制御方法であって、前記座標領域（Ｒｔ）に隣接する複数の隣接座標領域（Ｒｎ１〜Ｒｎ４）をあらかじめ設定し、前記タッチパネル（１４）が押圧されたときに検出された前記操作座標が前記隣接座標領域（Ｒｎ１〜Ｒｎ４）の中であって、その後、前記タッチパネル（１４）が押圧された場合に、検出された前記操作座標が前記座標領域（Ｒｔ）の中であるときには、前記座標領域（Ｒｔ）を、前記複数の隣接座標領域（Ｒｎ１〜Ｒｎ４）のうち、前記操作座標が前記隣接座標領域（Ｒｎ１〜Ｒｎ４）の中である回数が所定回数以上である前記隣接座標領域（Ｒｎ１〜Ｒｎ４）に拡大してもよい。これにより、不要にタッチパネル座標領域（Ｒｔ）を拡大することなく、操作子（Ｉ）の操作判定の誤判定を抑制することができる。
【符号の説明】
【００６１】
１０…タッチパネルディスプレイ（表示装置）
１２…表示部                            １４…タッチパネル
１６…ＣＮＣ（制御装置）                ３２…座標領域設定部
３４…操作判定部                        Ｉ…アイコン（操作子）
Ｒｔ…タッチパネル座標領域（座標領域）
【図１】
2018181322.tif 000003
【図２】
2018181322.tif 000004
【図３】
2018181322.tif 000005
【図４】
2018181322.tif 000006
【図５】
2018181322.tif 000007
【図６】
2018181322.tif 000008
【図７】
2018181322.tif 000009